(57)【特許請求の範囲】
【請求項１】
下位ビットに情報ビットが割り当てられ、上位ビットにダミービットが割り当てられた情報シンボルの系列を誤り訂正符号化して、その情報シンボルのビット数と同一ビット数のパリティシンボルの系列を生成するとともに、そのパリティシンボルの上位ビットの系列をシンボル変換する符号化手段と、上記情報シンボルの下位ビットの系列と上記パリティシンボルの下位ビットの系列と上記符号化手段によるシンボル変換後の系列と伝送制御用付加ビットとを結合して伝送フレームを構成するフレーム構成手段と、上記フレーム構成手段により構成された伝送フレームを多値直交振幅変調して変調信号を通信路に出力する送信手段と、上記通信路から変調信号を受信すると、その変調信号を多値直交振幅復調して受信フレームを出力する受信手段と、上記受信手段から出力された受信フレームに含まれる伝送制御用付加ビットを参照してフレーム同期を確立し、その受信フレームを上記情報シンボルに対応する系列と上記パリティシンボルに対応する系列とに分解するフレーム分解手段と、上記フレーム分解手段から出力されたパリティシンボルに対応する系列をシンボル逆変換し、シンボル逆変換後の系列と上記フレーム分解手段から出力された情報シンボルに対応する系列から当該情報シンボルの系列を推定する復号化手段とを備えた伝送装置。
【請求項２】
下位ビットに情報ビット及び伝送制御用付加ビットが割り当てられ、上位ビットにダミービットが割り当てられた情報シンボルの系列を誤り訂正符号化して、その情報シンボルのビット数と同一ビット数のパリティシンボルの系列を生成するとともに、そのパリティシンボルの上位ビットの系列をシンボル変換する符号化手段と、上記情報シンボルの下位ビットの系列と上記パリティシンボルの下位ビットの系列と上記符号化手段によるシンボル変換後の系列とを結合して伝送フレームを構成するフレーム構成手段と、上記フレーム構成手段により構成された伝送フレームを多値直交振幅変調して変調信号を通信路に出力する送信手段と、上記通信路から変調信号を受信すると、その変調信号を多値直交振幅復調して受信フレームを出力する受信手段と、上記受信手段から出力された受信フレームに含まれる伝送制御用付加ビットを参照してフレーム同期を確立し、その受信フレームを上記情報シンボルに対応する系列と上記パリティシンボルに対応する系列とに分解するフレーム分解手段と、上記フレーム分解手段から出力されたパリティシンボルに対応する系列をシンボル逆変換し、シンボル逆変換後の系列と上記フレーム分解手段から出力された情報シンボルに対応する系列から当該情報シンボルの系列を推定する復号化手段とを備えた伝送装置。
【請求項３】
フレーム構成手段は、伝送制御用付加ビットの格納領域に空き領域が存在する場合、符号化手段によるシンボル変換後の系列を次の伝送フレームにおける伝送制御用付加ビットの空き領域に割り当てることを特徴とする請求項１または請求項２記載の伝送装置。
【請求項４】
復号化手段は、推定した情報シンボルの上位ビットがダミービットと異なる場合、復号誤りの発生を認定することを特徴とする請求項１から請求項３のうちのいずれか１項記載の伝送装置。
【請求項５】
下位ビットに情報ビットが割り当てられ、上位ビットにダミービットが割り当てられた情報シンボルの系列を誤り訂正符号化して、その情報シンボルのビット数と同一ビット数のパリティシンボルの系列を生成するとともに、そのパリティシンボルの上位ビットの系列をシンボル変換する符号化ステップと、上記情報シンボルの下位ビットの系列と上記パリティシンボルの下位ビットの系列と上記符号化ステップによるシンボル変換後の系列と伝送制御用付加ビットとを結合して伝送フレームを構成するフレーム構成ステップと、その伝送フレームを多値直交振幅変調して変調信号を通信路に出力する送信ステップと、上記通信路から変調信号を受信すると、その変調信号を多値直交振幅復調して受信フレームを出力する受信ステップと、その受信フレームに含まれる伝送制御用付加ビットを参照してフレーム同期を確立し、その受信フレームを上記情報シンボルに対応する系列と上記パリティシンボルに対応する系列とに分解するフレーム分解ステップと、上記パリティシンボルに対応する系列をシンボル逆変換し、シンボル逆変換後の系列と上記情報シンボルに対応する系列から当該情報シンボルの系列を推定する復号化ステップとを備えた伝送方法。
【請求項６】
下位ビットに情報ビット及び伝送制御用付加ビットが割り当てられ、上位ビットにダミービットが割り当てられた情報シンボルの系列を誤り訂正符号化して、その情報シンボルのビット数と同一ビット数のパリティシンボルの系列を生成するとともに、そのパリティシンボルの上位ビットの系列をシンボル変換する符号化ステップと、上記情報シンボルの下位ビットの系列と上記パリティシンボルの下位ビットの系列と上記符号化ステップによるシンボル変換後の系列とを結合して伝送フレームを構成するフレーム構成ステップと、その伝送フレームを多値直交振幅変調して変調信号を通信路に出力する送信ステップと、上記通信路から変調信号を受信すると、その変調信号を多値直交振幅復調して受信フレームを出力する受信ステップと、その受信フレームに含まれる伝送制御用付加ビットを参照してフレーム同期を確立し、その受信フレームを上記情報シンボルに対応する系列と上記パリティシンボルに対応する系列とに分解するフレーム分解ステップと、上記パリティシンボルに対応する系列をシンボル逆変換し、シンボル逆変換後の系列と上記情報シンボルに対応する系列から当該情報シンボルの系列を推定する復号化ステップとを備えた伝送方法。
【請求項７】
フレーム構成ステップは、伝送制御用付加ビットの格納領域に空き領域が存在する場合、符号化ステップによるシンボル変換後の系列を次の伝送フレームにおける伝送制御用付加ビットの空き領域に割り当てることを特徴とする請求項５または請求項６記載の伝送方法。
【請求項８】
復号化ステップは、推定した情報シンボルの上位ビットがダミービットと異なる場合、復号誤りの発生を認定することを特徴とする請求項５から請求項７のうちのいずれか１項記載の伝送方法。
【発明の詳細な説明】
【０００１】
【発明の属する技術分野】
この発明は、変調方式として多値直交振幅変調を用い、誤り訂正方式として多元ブロック誤り訂正符号を用いる伝送装置及び伝送方法に関するものである。
【０００２】
【従来の技術】
図４は従来の伝送装置を示す構成図であり、図５は変調方式として多値直交振幅変調（ＱＡＭ：Ｑｕａｄｒａｔｕｒｅ  Ａｍｐｌｉｔｕｄｅ  Ｍｏｄｕｌａｔｉｏｎ）を用い、誤り訂正方式として多元ブロック誤り訂正符号であるリードソロモン（ＲＳ：Ｒｅｅｄ−Ｓｏｌｏｍｏｎ）符号を用いた伝送方式における伝送フレーム構成を示す説明図である。特に、図５（ａ）はガロア体ＧＦ（２７）上のＲＳ符号で符号化されたＲＳ符号フレームを示し、図５（ｂ）はＲＳ符号フレームを１２８ＱＡＭで伝送する際の伝送フレームを示している。
図において、１は情報ビットの系列が１シンボル当り７ビットに並び替えられたＲＳ情報系列、２はＲＳ情報系列１をＲＳ符号化して生成されたＲＳパリティ系列、３はＲＳフレーム同期用ビットである。
【０００３】
１１はＲＳ情報系列１を一時的に格納する遅延バッファ、１２はＲＳ情報系列１をＲＳ符号化して、１シンボル当り７ビットのＲＳパリティ系列２を生成するＲＳ符号化回路、１３はＲＳ情報系列１とＲＳパリティ系列２を結合してＲＳ符号系列を形成し、そのＲＳ符号系列にＲＳフレーム同期用ビット３などの伝送制御用付加ビットを追加して１２８ＱＡＭ伝送フレームを形成する伝送フレーム構成回路、１４は伝送フレーム構成回路１３により形成された１２８ＱＡＭ伝送フレームを多値直交振幅変調（１２８ＱＡＭによる変調）して変調信号を生成し、その変調信号を送信信号として通信路１５に出力する変調器、１５は通信路である。
【０００４】
１６は通信路１５から雑音が重畳された変調信号を受信すると、その受信信号を多値直交振幅復調（１２８ＱＡＭによる復調）して、受信フレーム（１シンボル当り７ビットのＱＡＭ受信シンボルの系列）を出力する復調器、１７は復調器１６から出力された受信フレームに含まれている伝送制御用付加ビットを参照してフレーム同期を確立し、同期信号をＲＳフレーム分解回路１８及びＲＳ復号回路１９に出力するフレーム同期回路、１８はフレーム同期回路１７から出力された同期信号に同期して、復調器１６から出力された受信フレームを分解し、ＲＳ情報系列１とＲＳパリティ系列２に相当する受信系列を出力するＲＳフレーム分解回路、１９はフレーム同期回路１７から出力された同期信号に同期して、ＲＳフレーム分解回路１８から出力された受信系列に基づいてＲＳ情報系列１を推定するＲＳ復号回路である。
【０００５】
次に動作について説明する。
例えば、多値直交振幅変調方式として１２８ＱＡＭで変調し、誤り訂正方式としてＲＳ符号などの多元ブロック符号を用いる伝送方式について説明する。この例では、図５（ａ）に示すように、情報ビットの系列が１シンボル当り７ビットに並び替えられたＲＳ情報系列１を伝送するものとして説明する。
【０００６】
まず、ＲＳ情報系列１が入力されると、そのＲＳ情報系列１は遅延バッファ１１に入力されて一時的に格納される一方、ＲＳ符号化回路１２に入力されてＲＳ符号化される。
即ち、ＲＳ符号化回路１２は、ＲＳ情報系列１をＲＳ符号化して、図５（ａ）に示すような１シンボル当り７ビットのＲＳパリティ系列２を生成する。
【０００７】
伝送フレーム構成回路１３は、ＲＳ符号化回路１２がＲＳパリティ系列２を生成すると、遅延バッファ１１に格納されているＲＳ情報系列１とＲＳパリティ系列２を結合してＲＳ符号系列を形成する。ＲＳ符号系列は、図５（ａ）に示すように、符号長が１２７シンボル、情報長が１１９シンボル、パリティ長が８シンボルの系列である。
そして、伝送フレーム構成回路１３は、図５（ｂ）に示すように、そのＲＳ符号系列にＲＳフレーム同期用ビット３などの伝送制御用付加ビットを追加して、１２８ＱＡＭ伝送フレームを形成する。
【０００８】
変調器１４は、伝送フレーム構成回路１３が１２８ＱＡＭ伝送フレームを形成すると、その１２８ＱＡＭ伝送フレームに対して１２８ＱＡＭによる変調を実施して変調信号を生成し、その変調信号を送信信号として通信路１５に出力する。復調器１６は、通信路１５において雑音が重畳された変調信号を通信路１５から受信すると、その受信信号に対して１２８ＱＡＭによる復調を実施して、受信フレーム（１シンボル当り７ビットのＱＡＭ受信シンボルの系列）を出力する。
【０００９】
フレーム同期回路１７は、復調器１６が受信フレームを出力すると、その受信フレームに含まれている伝送制御用付加ビットを参照してフレーム同期を確立し、同期信号をＲＳフレーム分解回路１８及びＲＳ復号回路１９に出力する。
ＲＳフレーム分解回路１８は、フレーム同期回路１７から出力された同期信号に同期して、復調器１６から出力された受信フレームを分解し、ＲＳ情報系列１とＲＳパリティ系列２に相当する受信系列を出力する。
ＲＳ復号回路１９は、フレーム同期回路１７から出力された同期信号に同期して、ＲＳフレーム分解回路１８から出力された受信系列に基づいてＲＳ情報系列１を推定する。
【００１０】
以上で明らかなように、従来の伝送装置によれば、送信側に入力されたＲＳ情報系列１を推定することができるが、ＲＳ符号の１シンボル当りのビット数をＱＡＭシンボルのビット数と同一にする必要がある。よって、ＲＳ符号の選択に制約が生じる。
そこで、ＲＳ符号の選択に制約が生じる不便さを解消することが可能な伝送装置が特開２０００−２６１５１１公報に開示されている。
【００１１】
図６は例えば特開２０００−２６１５１１公報に示された従来の伝送装置を示す構成図であり、図７（ａ）はガロア体ＧＦ（２８）上のＲＳ符号で符号化されたＲＳ符号フレームを示し、図７（ｂ）はＲＳ符号フレームを１２８ＱＡＭで伝送する際の伝送フレームを示している。
図において、２１は情報ビットの系列が１シンボル当り８ビットに並び替えられたＲＳ情報系列、２２はＲＳ情報系列２１をＲＳ符号化して生成されたＲＳパリティ系列、２３はＲＳフレーム同期用ビット、２４は１シンボル当り８ビットのＲＳシンボルが１シンボル当り７ビットのＱＡＭシンボルに速度変換されたＲＳ符号系列である。
【００１２】
３１はＲＳ情報系列２１を一時的に格納する遅延バッファ、３２はＲＳ情報系列２１をＲＳ符号化して、１シンボル当り８ビットのＲＳパリティ系列２２を生成するＲＳ符号化回路、３３はＲＳ情報系列２１とＲＳパリティ系列２２を結合してＲＳ符号系列を形成する伝送フレーム構成回路、３４は１シンボル当りの８ビットのＲＳシンボルを１シンボル当り７ビットのＱＡＭシンボルに速度変換する速度変換回路、３５は速度変換回路３４から出力されたＲＳ符号系列２４にＲＳフレーム同期用ビット２３などの伝送制御用付加ビットを追加して１２８ＱＡＭ伝送フレームを形成する同期ビット付加回路、３６は同期ビット付加回路３５により形成された１２８ＱＡＭ伝送フレームを多値直交振幅変調（１２８ＱＡＭによる変調）して変調信号を生成し、その変調信号を送信信号として通信路３７に出力する変調器、３７は通信路である。
【００１３】
３８は通信路３７から雑音が重畳された変調信号を受信すると、その受信信号を多値直交振幅復調（１２８ＱＡＭによる復調）して、受信フレーム（１シンボル当り７ビットのＱＡＭ受信シンボルの系列）を出力する復調器、３９は復調器３８から出力された受信フレームに含まれている伝送制御用付加ビットを参照してフレーム同期を確立し、同期信号を速度逆変換回路４０，ＲＳフレーム分解回路４１及びＲＳ復号回路４２に出力するフレーム同期回路、４０はフレーム同期回路３９から出力された同期信号に同期して、１シンボル当り７ビットのＱＡＭシンボルを１シンボル当りの８ビットのＲＳシンボルに速度逆変換する速度逆変換回路、４１はフレーム同期回路３９から出力された同期信号に同期して、復調器３８から出力された受信フレームを分解し、ＲＳ情報系列２１とＲＳパリティ系列２２に相当する受信系列を出力するＲＳフレーム分解回路、４２はフレーム同期回路３９から出力された同期信号に同期して、ＲＳフレーム分解回路４１から出力された受信系列に基づいてＲＳ情報系列２１を推定するＲＳ復号回路である。
【００１４】
次に動作について説明する。
この例では、図７（ａ）に示すように、情報ビットの系列が１シンボル当り８ビットに並び替えられたＲＳ情報系列２１を伝送するものとして説明する。
【００１５】
まず、ＲＳ情報系列２１が入力されると、そのＲＳ情報系列２１は遅延バッファ３１に入力されて一時的に格納される一方、ＲＳ符号化回路３２に入力されてＲＳ符号化される。
即ち、ＲＳ符号化回路３２は、ＲＳ情報系列２１をＲＳ符号化して、図７（ａ）に示すような１シンボル当り８ビットのＲＳパリティ系列２２を生成する。
【００１６】
伝送フレーム構成回路３３は、ＲＳ符号化回路３２がＲＳパリティ系列２２を生成すると、遅延バッファ３１に格納されているＲＳ情報系列２１とＲＳパリティ系列２２を結合してＲＳ符号系列を形成する。ＲＳ符号系列は、図７（ａ）に示すように、符号長が２５５シンボル、情報長が２３９シンボル、パリティ長が１６シンボルの系列である。
【００１７】
速度変換回路３４は、伝送フレーム構成回路３３からＲＳ符号系列を受けると、１シンボル当りの８ビットのＲＳシンボルを１シンボル当り７ビットのＱＡＭシンボルに速度変換し、図７（ｂ）に示すようなＲＳ符号系列２４を出力する。
同期ビット付加回路３５は、図７（ｂ）に示すように、速度変換回路３４から出力されたＲＳ符号系列２４にＲＳフレーム同期用ビット２３などの伝送制御用付加ビットを追加して、１２８ＱＡＭ伝送フレームを形成する。
【００１８】
変調器３６は、同期ビット付加回路３５が１２８ＱＡＭ伝送フレームを形成すると、その１２８ＱＡＭ伝送フレームに対して１２８ＱＡＭによる変調を実施して変調信号を生成し、その変調信号を送信信号として通信路３７に出力する。
復調器３８は、通信路３７において雑音が重畳された変調信号を通信路３７から受信すると、その受信信号に対して１２８ＱＡＭによる復調を実施して、受信フレーム（１シンボル当り７ビットのＱＡＭ受信シンボルの系列）を出力する。
【００１９】
フレーム同期回路３９は、復調器３８が受信フレームを出力すると、その受信フレームに含まれている伝送制御用付加ビットを参照してフレーム同期を確立し、同期信号を速度逆変換回路４０，ＲＳフレーム分解回路４１及びＲＳ復号回路４２に出力する。
速度逆変換回路４０は、フレーム同期回路３９から出力された同期信号に同期して、１シンボル当り７ビットのＱＡＭシンボルを１シンボル当りの８ビットのＲＳシンボルに速度逆変換する。
【００２０】
ＲＳフレーム分解回路４１は、フレーム同期回路３９から出力された同期信号に同期して、速度逆変換回路４０による速度逆変換後の受信フレームを分解し、ＲＳ情報系列２１とＲＳパリティ系列２２に相当する受信系列を出力する。
ＲＳ復号回路４２は、フレーム同期回路３９から出力された同期信号に同期して、ＲＳフレーム分解回路４１から出力された受信系列に基づいてＲＳ情報系列２１を推定する。
【００２１】
【発明が解決しようとする課題】
従来の伝送装置は以上のように構成されているので、ＲＳ符号の選択に制約が生じる不便さを解消することができるが、ＲＳシンボルの１シンボル当りのビット数とＱＡＭシンボルの１シンボル当りのビット数とを調整するための複雑な速度変換回路３４及び速度逆変換回路４０を設置する必要があるという課題があった。
【００２２】
この発明は上記のような課題を解決するためになされたもので、１シンボル当りのビット数がＱＡＭシンボルよりＲＳシンボルの方が多い場合でも、ビット数調整用の複雑な速度変換回路等を設置することなく、簡易的な速度変換を実施することができる伝送装置及び伝送方法を得ることを目的とする。
【００２３】
【課題を解決するための手段】
この発明に係る伝送装置は、下位ビットに情報ビットが割り当てられ、上位ビットにダミービットが割り当てられた情報シンボルの系列を誤り訂正符号化して、その情報シンボルのビット数と同一ビット数のパリティシンボルの系列を生成するとともに、そのパリティシンボルの上位ビットの系列をシンボル変換する符号化手段と、その情報シンボルの下位ビットの系列とパリティシンボルの下位ビットの系列と符号化手段によるシンボル変換後の系列と伝送制御用付加ビットとを結合して伝送フレームを構成するフレーム構成手段とを設けたものである。
【００２４】
この発明に係る伝送装置は、下位ビットに情報ビット及び伝送制御用付加ビットが割り当てられ、上位ビットにダミービットが割り当てられた情報シンボルの系列を誤り訂正符号化して、その情報シンボルのビット数と同一ビット数のパリティシンボルの系列を生成するとともに、そのパリティシンボルの上位ビットの系列をシンボル変換する符号化手段と、その情報シンボルの下位ビットの系列とパリティシンボルの下位ビットの系列と符号化手段によるシンボル変換後の系列とを結合して伝送フレームを構成するフレーム構成手段とを設けたものである。
【００２５】
この発明に係る伝送装置は、伝送制御用付加ビットの格納領域に空き領域が存在する場合、符号化手段によるシンボル変換後の系列を次の伝送フレームにおける伝送制御用付加ビットの空き領域に割り当てるようにしたものである。
【００２６】
この発明に係る伝送装置は、推定した情報シンボルの上位ビットがダミービットと異なる場合、復号化手段が復号誤りの発生を認定するようにしたものである。
【００２７】
この発明に係る伝送方法は、下位ビットに情報ビットが割り当てられ、上位ビットにダミービットが割り当てられた情報シンボルの系列を誤り訂正符号化して、その情報シンボルのビット数と同一ビット数のパリティシンボルの系列を生成するとともに、そのパリティシンボルの上位ビットの系列をシンボル変換する符号化ステップと、その情報シンボルの下位ビットの系列とパリティシンボルの下位ビットの系列と符号化ステップによるシンボル変換後の系列と伝送制御用付加ビットとを結合して伝送フレームを構成するフレーム構成ステップとを設けたものである。
【００２８】
この発明に係る伝送方法は、下位ビットに情報ビット及び伝送制御用付加ビットが割り当てられ、上位ビットにダミービットが割り当てられた情報シンボルの系列を誤り訂正符号化して、その情報シンボルのビット数と同一ビット数のパリティシンボルの系列を生成するとともに、そのパリティシンボルの上位ビットの系列をシンボル変換する符号化ステップと、その情報シンボルの下位ビットの系列とパリティシンボルの下位ビットの系列と符号化ステップによるシンボル変換後の系列とを結合して伝送フレームを構成するフレーム構成ステップとを設けたものである。
【００２９】
この発明に係る伝送方法は、伝送制御用付加ビットの格納領域に空き領域が存在する場合、符号化ステップによるシンボル変換後の系列を次の伝送フレームにおける伝送制御用付加ビットの空き領域に割り当てるようにしたものである。
【００３０】
この発明に係る伝送方法は、推定した情報シンボルの上位ビットがダミービットと異なる場合、復号化ステップが復号誤りの発生を認定するようにしたものである。
【００３１】
【発明の実施の形態】
以下、この発明の実施の一形態を説明する。
実施の形態１．
図１はこの発明の実施の形態１による伝送装置を示す構成図であり、図２は変調方式として多値直交振幅変調を用い、誤り訂正方式として多元ブロック誤り訂正符号であるＲＳ符号を用いた伝送方式における伝送フレーム構成を示す説明図である。特に、図２（ａ）はガロア体ＧＦ（２８）上のＲＳ符号で符号化されたＲＳ符号フレームを示し、図２（ｂ）はＲＳ符号フレームを１２８ＱＡＭで伝送する際の伝送フレームを示している。
【００３２】
図において、５１ａは下位ビットに情報ビットが割り当てられ、上位ビットにダミービットが割り当てられたＲＳ情報シンボルの系列（以下、ＲＳ情報系列という）、５１ｂは情報ビットの系列が１シンボル当り７ビットに並び替えられたＲＳ情報シンボルの下位ビットの系列、５１ｃはダミービットの系列、５２ａはＲＳ情報系列５１ａをＲＳ符号化して生成されたＲＳパリティシンボルの系列（以下、ＲＳパリティ系列という）、５２ｂはＲＳパリティシンボルの下位ビットの系列、５２ｃはＲＳパリティシンボルの上位ビットの系列、５３はＲＳフレーム同期用ビット（伝送制御用付加ビット）、５４ａはＲＳパリティシンボルの上位ビットの系列がＱＡＭシンボルに変換された系列、５４ｂは次の伝送フレームの伝送制御用付加ビットを格納する領域の中の空き領域に割り当てられたＲＳパリティシンボルの上位ビットのビット系列である。
【００３３】
６１はＲＳ情報系列５１ａを一時的に格納する遅延バッファ、６２はＲＳ情報系列５１ａをＲＳ符号化して、１シンボル当り８ビットのＲＳパリティ系列５２ａを生成するＲＳ符号化回路、６３はＲＳパリティシンボルの下位ビットの系列５２ｂをそのままＱＡＭのシンボルの系列５２ｂとする一方、ＲＳパリティシンボルの上位ビットの系列５２ｃを１シンボル当り７ビットに並び替えて、ＱＡＭのシンボルの系列５４ａとするシンボル変換回路である。
なお、ＲＳ符号化回路６２及びシンボル変換回路６３から符号化手段が構成されている。
【００３４】
６４は遅延バッファ６１に格納されているＲＳ情報シンボルの下位ビットの系列５１ｂと、シンボル変換回路６３から出力された系列５２ｂ，系列５４ａと、ＲＳフレーム同期用ビット５３などの伝送制御用付加ビットとを結合して、１２８ＱＡＭ伝送フレームを構成する伝送フレーム構成回路（フレーム構成手段）、６５は伝送フレーム構成回路６４により構成された１２８ＱＡＭ伝送フレームを多値直交振幅変調（１２８ＱＡＭによる変調）して変調信号を生成し、その変調信号を送信信号として通信路６６に出力する変調器（送信手段）、６６は通信路である。
【００３５】
６７は通信路６６から雑音が重畳された変調信号を受信すると、その受信信号を多値直交振幅復調（１２８ＱＡＭによる復調）して、受信フレーム（１シンボル当り７ビットのＱＡＭ受信シンボルの系列）を出力する復調器（受信手段）、６８は復調器６７から出力された受信フレームに含まれている伝送制御用付加ビットを参照してフレーム同期を確立し、同期信号をＲＳフレーム分解回路６９，シンボル逆変換回路７０及びＲＳ復号回路７１に出力するフレーム同期回路、６９はフレーム同期回路６８から出力された同期信号に同期して、復調器６７から出力された受信フレームを分解し、ＲＳ情報シンボルの下位ビットの系列５１ｂに相当する受信系列と、ＲＳパリティの系列５２ｂ，５４ａに相当する受信系列とを出力するＲＳフレーム分解回路（フレーム分解手段）である。
【００３６】
７０はフレーム同期回路６８から出力された同期信号に同期して、ＲＳフレーム分解回路６９から出力されたＲＳパリティの系列５２ｂ，５４ａに相当する受信系列を相互に組み合せて、１シンボル当り８ビットのＲＳシンボルに逆変換するシンボル逆変換回路、７１はフレーム同期回路６８から出力された同期信号に同期して、ＲＳフレーム分解回路６９から出力されたＲＳ情報シンボルの下位ビットの系列５１ｂに相当する受信系列とシンボル逆変換回路７０から出力された受信系列に基づいてＲＳ情報系列５１ａを推定するＲＳ復号回路である。
なお、シンボル逆変換回路７０及びＲＳ復号回路７１から復号化手段が構成されている。
図３はこの発明の実施の形態１による伝送方法を示すフローチャートである。
【００３７】
次に動作について説明する。
例えば、多値直交振幅変調方式として１２８ＱＡＭで変調し、誤り訂正方式としてＧＦ（２８）上のＲＳ符号を用いる伝送方式について説明する。ただし、この実施の形態１の適応範囲は、それに限定されるものではない。
【００３８】
まず、伝送装置にはＲＳ情報系列５１ａが入力されるが、ＲＳ情報系列５１ａは、図２（ａ）に示すように、情報ビットの系列が１シンボル当り７ビットに並び替えられたＲＳ情報シンボルの下位ビットの系列５１ｂと、ダミービットの系列５１ｃとから構成されている。
なお、ダミービットとしては、既定パターンであれば何でもよいが、例えば、すべて０を割り当てるなどの手法がある。
【００３９】
ＲＳ情報系列５１ａが入力されると、そのＲＳ情報系列５１ａは遅延バッファ６１に入力されて一時的に格納される一方、ＲＳ符号化回路６２に入力されてＲＳ符号化される。
即ち、ＲＳ符号化回路６２は、ＲＳ情報系列５１ａをＲＳ符号化して、図２（ａ）に示すような１シンボル当り８ビットのＲＳパリティ系列５２ａを生成する（ステップＳＴ１）。
なお、ＲＳ情報系列５１ａとＲＳパリティ系列５２ａから構成される系列は、図２（ａ）に示すように、符号長が２５５シンボル、情報長が２３９シンボル、パリティ長が１６シンボルの系列となる。
【００４０】
シンボル変換回路６３は、ＲＳ符号化回路６２が１シンボル当り８ビットのＲＳパリティ系列５２ａを生成すると、ＲＳパリティシンボルの下位ビットの系列５２ｂをＱＡＭシンボルの系列５２ｂとしてそのまま伝送フレーム構成回路６４に出力する。また、ＲＳパリティシンボルの上位ビットの系列５２ｃを１シンボル当り７ビットに並び替えて、並び替え後の系列をＱＡＭシンボルの系列５４ａとして伝送フレーム構成回路６４に出力する（ステップＳＴ２）。
ただし、ＲＳパリティシンボルの上位ビットの系列５２ｃが割り切れない場合、その端数ビットも伝送フレーム構成回路６４に出力する。
【００４１】
伝送フレーム構成回路６４は、シンボル変換回路６３が系列５２ｂ，系列５４ａを出力すると、遅延バッファ６１に格納されているＲＳ情報シンボルの下位ビットの系列５１ｂと、シンボル変換回路６３から出力された系列５２ｂ，系列５４ａとを結合してＲＳ符号系列を形成する。
【００４２】
そして、伝送フレーム構成回路６４は、図２（ｂ）に示すように、そのＲＳ符号系列にＲＳフレーム同期用ビット５３などの伝送制御用付加ビットを追加して、１２８ＱＡＭ伝送フレームを形成する（ステップＳＴ３）。
ただし、シンボル変換回路６３から端数ビットが出力されている場合、次の伝送フレームにおける伝送制御用付加ビットの格納領域において、空き領域が存在すれば、ＱＡＭの送信シンボル数を少なくするため、図２（ｂ）に示すように、その端数ビットをビット系列５４ｂとして当該空き領域に埋め込むようにする。
【００４３】
変調器６５は、伝送フレーム構成回路６４が１２８ＱＡＭ伝送フレームを形成すると、その１２８ＱＡＭ伝送フレームに対して１２８ＱＡＭによる変調を実施して変調信号を生成し、その変調信号を送信信号として通信路６６に出力する（ステップＳＴ４）。
復調器６７は、通信路６６において雑音が重畳された変調信号を通信路６６から受信すると、その受信信号に対して１２８ＱＡＭによる復調を実施して、受信フレーム（１シンボル当り７ビットのＱＡＭ受信シンボルの系列）を出力する（ステップＳＴ５）。
【００４４】
フレーム同期回路６８は、復調器６７が受信フレームを出力すると、その受信フレームに含まれている伝送制御用付加ビットを参照してフレーム同期を確立し、同期信号をＲＳフレーム分解回路６９，シンボル逆変換回路７０及びＲＳ復号回路７１に出力する（ステップＳＴ６）。
ＲＳフレーム分解回路６９は、フレーム同期回路６８から出力された同期信号に同期して、復調器６７から出力された受信フレームを分解し、ＲＳ情報シンボルの下位ビットの系列５１ｂに相当する受信系列と、ＲＳパリティの系列５２ｂ，５４ａに相当する受信系列とを出力する（ステップＳＴ７）。
【００４５】
シンボル逆変換回路７０は、ＲＳフレーム分解回路６９からＲＳパリティの系列５２ｂ，５４ａに相当する受信系列を受けると、フレーム同期回路６８から出力された同期信号に同期して、そのＲＳパリティの系列５２ｂに相当する受信系列とＲＳパリティの系列５４ａに相当する受信系列とを組み合せて、１シンボル当り８ビットのＲＳシンボルに逆変換する（ステップＳＴ８）。
【００４６】
ＲＳ復号回路７１は、フレーム同期回路６８から出力された同期信号に同期して、ＲＳフレーム分解回路６９から出力されたＲＳ情報シンボルの下位ビットの系列５１ｂに相当する受信系列と、シンボル逆変換回路７０から出力された受信系列とに基づいてＲＳ情報系列５１ａを推定する（ステップＳＴ９）。
なお、ＲＳ情報系列５１ａの上位ビットに割り当てられるダミービットの部分は、既定パターンのダミービットを受信したものとして割り当てる。
【００４７】
以上で明らかなように、この実施の形態１によれば、下位ビットに情報ビットが割り当てられ、上位ビットにダミービットが割り当てられた情報シンボルの系列を誤り訂正符号化して、その情報シンボルのビット数と同一ビット数のパリティシンボルの系列を生成するとともに、そのパリティシンボルの上位ビットの系列をシンボル変換する符号化手段と、その情報シンボルの下位ビットの系列とパリティシンボルの下位ビットの系列と符号化手段によるシンボル変換後の系列と伝送制御用付加ビットとを結合して伝送フレームを構成するフレーム構成手段とを設けるように構成したので、１シンボル当りのビット数がＱＡＭシンボルよりＲＳシンボルの方が多い場合でも、ビット数調整用の複雑な速度変換回路等を設置することなく、簡易的な速度変換を実施することができる効果を奏する。
【００４８】
即ち、１シンボル当りのビット数がＱＡＭシンボルよりＲＳシンボルの方が多い場合、各シンボルの端数ビットについて、ＲＳ情報シンボル部分に対応するビットをダミービットとして送信せず、ＲＳパリティシンボル部分に対応するビットを別のＱＡＭシンボルにまとめて送信するので、ＲＳパリティシンボル部分のシンボル変換のみという簡易的な速度変換により伝送可能となる効果を奏する。
【００４９】
実施の形態２．
上記実施の形態１では、ＲＳ符号化回路６２がＲＳ情報系列５１ａをＲＳ符号化したのち、伝送フレーム構成回路６４がＲＳ符号系列にＲＳフレーム同期用ビット５３などの伝送制御用付加ビットを追加して、１２８ＱＡＭ伝送フレームを形成するものについて示したが、ＲＳ符号化回路６２がＲＳ情報シンボルの下位ビットの系列５１ｂにＲＳフレーム同期用ビット５３などの伝送制御用付加ビットを含めて、ＲＳ情報系列５１ａをＲＳ符号化するようにしてもよい。
なお、ＲＳ情報シンボルの下位ビットの系列５１ｂは、ＲＳ符号化前後で変化しないため、ＲＳ符号化前に伝送制御用付加ビットを付加しても問題を生じることがない。ただし、追加した分だけ伝送効率は落ちることになる。
【００５０】
実施の形態３．
上記実施の形態１では、特に言及していないが、推定したＲＳ情報系列５１ａの上位ビットの系列が既定のダミービットのパターンと異なる場合、ＲＳ復号回路７１が復号誤りの発生を認定するようにしてもよい。
【００５１】
【発明の効果】
以上のように、この発明によれば、下位ビットに情報ビットが割り当てられ、上位ビットにダミービットが割り当てられた情報シンボルの系列を誤り訂正符号化して、その情報シンボルのビット数と同一ビット数のパリティシンボルの系列を生成するとともに、そのパリティシンボルの上位ビットの系列をシンボル変換する符号化手段と、その情報シンボルの下位ビットの系列とパリティシンボルの下位ビットの系列と符号化手段によるシンボル変換後の系列と伝送制御用付加ビットとを結合して伝送フレームを構成するフレーム構成手段とを設けるように構成したので、１シンボル当りのビット数がＱＡＭシンボルよりＲＳシンボルの方が多い場合でも、ビット数調整用の複雑な速度変換回路等を設置することなく、簡易的な速度変換を実施することができる効果がある。
【００５２】
この発明によれば、下位ビットに情報ビット及び伝送制御用付加ビットが割り当てられ、上位ビットにダミービットが割り当てられた情報シンボルの系列を誤り訂正符号化して、その情報シンボルのビット数と同一ビット数のパリティシンボルの系列を生成するとともに、そのパリティシンボルの上位ビットの系列をシンボル変換する符号化手段と、その情報シンボルの下位ビットの系列とパリティシンボルの下位ビットの系列と符号化手段によるシンボル変換後の系列とを結合して伝送フレームを構成するフレーム構成手段とを設けるように構成したので、１シンボル当りのビット数がＱＡＭシンボルよりＲＳシンボルの方が多い場合でも、ビット数調整用の複雑な速度変換回路等を設置することなく、簡易的な速度変換を実施することができる効果がある。
【００５３】
この発明によれば、伝送制御用付加ビットの格納領域に空き領域が存在する場合、符号化手段によるシンボル変換後の系列を次の伝送フレームにおける伝送制御用付加ビットの空き領域に割り当てるように構成したので、ＱＡＭの送信シンボル数を少なくすることができる効果がある。
【００５４】
この発明によれば、推定した情報シンボルの上位ビットがダミービットと異なる場合、復号化手段が復号誤りの発生を認定するように構成したので、復号誤りの発生を検出することができる効果がある。
【００５５】
この発明によれば、下位ビットに情報ビットが割り当てられ、上位ビットにダミービットが割り当てられた情報シンボルの系列を誤り訂正符号化して、その情報シンボルのビット数と同一ビット数のパリティシンボルの系列を生成するとともに、そのパリティシンボルの上位ビットの系列をシンボル変換する符号化ステップと、その情報シンボルの下位ビットの系列とパリティシンボルの下位ビットの系列と符号化ステップによるシンボル変換後の系列と伝送制御用付加ビットとを結合して伝送フレームを構成するフレーム構成ステップとを設けるように構成したので、１シンボル当りのビット数がＱＡＭシンボルよりＲＳシンボルの方が多い場合でも、ビット数調整用の複雑な速度変換回路等を設置することなく、簡易的な速度変換を実施することができる効果がある。
【００５６】
この発明によれば、下位ビットに情報ビット及び伝送制御用付加ビットが割り当てられ、上位ビットにダミービットが割り当てられた情報シンボルの系列を誤り訂正符号化して、その情報シンボルのビット数と同一ビット数のパリティシンボルの系列を生成するとともに、そのパリティシンボルの上位ビットの系列をシンボル変換する符号化ステップと、その情報シンボルの下位ビットの系列とパリティシンボルの下位ビットの系列と符号化ステップによるシンボル変換後の系列とを結合して伝送フレームを構成するフレーム構成ステップとを設けるように構成したので、１シンボル当りのビット数がＱＡＭシンボルよりＲＳシンボルの方が多い場合でも、ビット数調整用の複雑な速度変換回路等を設置することなく、簡易的な速度変換を実施することができる効果がある。
【００５７】
この発明によれば、伝送制御用付加ビットの格納領域に空き領域が存在する場合、符号化ステップによるシンボル変換後の系列を次の伝送フレームにおける伝送制御用付加ビットの空き領域に割り当てるように構成したので、ＱＡＭの送信シンボル数を少なくすることができる効果がある。
【００５８】
この発明によれば、推定した情報シンボルの上位ビットがダミービットと異なる場合、復号化ステップが復号誤りの発生を認定するように構成したので、復号誤りの発生を検出することができる効果がある。
【図面の簡単な説明】
【図１】  この発明の実施の形態１による伝送装置を示す構成図である。
【図２】  変調方式として多値直交振幅変調を用い、誤り訂正方式として多元ブロック誤り訂正符号であるＲＳ符号を用いた伝送方式における伝送フレーム構成を示す説明図である。
【図３】  この発明の実施の形態１による伝送方法を示すフローチャートである。
【図４】  従来の伝送装置を示す構成図である。
【図５】  変調方式として多値直交振幅変調を用い、誤り訂正方式として多元ブロック誤り訂正符号であるＲＳ符号を用いた伝送方式における伝送フレーム構成を示す説明図である。
【図６】  従来の伝送装置を示す構成図である。
【図７】  変調方式として多値直交振幅変調を用い、誤り訂正方式として多元ブロック誤り訂正符号であるＲＳ符号を用いた伝送方式における伝送フレーム構成を示す説明図である。
【符号の説明】
５１ａ  ＲＳ情報系列、５１ｂ  ＲＳ情報シンボルの下位ビットの系列、５１ｃ  ダミービットの系列、５２ａ  ＲＳパリティ系列、５２ｂ  ＲＳパリティシンボルの下位ビットの系列、５２ｃ  ＲＳパリティシンボルの上位ビットの系列、５３  ＲＳフレーム同期用ビット（伝送制御用付加ビット）、５４ａ  ＱＡＭシンボルに変換された系列、５４ｂ  ＲＳパリティシンボルの上位ビットのビット系列、６１  遅延バッファ、６２  ＲＳ符号化回路（符号化手段）、６３  シンボル変換回路（符号化手段）、６４  伝送フレーム構成回路（フレーム構成手段）、６５  変調器（送信手段）、６６  通信路、６７  復調器（受信手段）、６８  フレーム同期回路、６９  ＲＳフレーム分解回路（フレーム分解手段）、７０  シンボル逆変換回路（復号化手段）、７１  ＲＳ復号回路（復号化手段）。
【図１】
0003871117.tif 000002
【図２】
0003871117.tif 000003
【図３】
0003871117.tif 000004
【図４】
0003871117.tif 000005
【図５】
0003871117.tif 000006
【図６】
0003871117.tif 000007
【図７】
0003871117.tif 000008